(57)【要約】【課題】従来のタッチパネル方式のコンピューター端末用キー入力装置は、映像を見ながらでないとキーボード自体のキーの位置がわからなかったので、キーボードの使い勝手が悪いという問題があった。【解決手段】本発明は、入力用キーを変換用キーと連動させる同一キー表示を利用したシンプルなキーの表示とすることにより一目で認識できる様にし、タッチパネルタイプのパネル上に入力の補助パネルを設置でき、その補助パネルを取り外さなくてもパネルをコンピューター端末の裏側へ収納できるので入力補助用器具が簡便に使用でき、ディスプレーの表示映像に影響を与えない効果的なコンピューター端末等の使用ができるものである。【選択図】図１６
2015039069.tif 000002
【特許請求の範囲】
【請求項１】
コンピューター端末の側面や側面付近に対して挟み込む又は囲み込んだ着脱固定用のフレーム又はクリップ部分、
及び、タッチパネル面上において設置するパネルタイプのキー入力補助部
及び上記の着脱固定用のフレーム又はクリップ部分と上記の入力補助部を連結し、コンピューター端末のパネル面からコンピューター端末の裏側の面へ移動させるガイド
及び、上記入力補助部をコンピューター端末の上面及び下面で固定する機構、
を構成したことを特徴とする、タッチパネルの入力補助用器具。
【請求項２】
上記請求項１のパネルタイプのキー入力補助部において、
タッチパネル面の入力ボタンの上方に位置する動画や画像や入力した文字を表示する範囲に存在せず、
タッチパネルの入力用ボタン上に穴が空いたパネル、及び、そのパネルのコンピューター端末側の面に接触部分が小さくなるためのパネル支持用突起を構成としたことを特徴とする、タッチパネルの入力補助用器具。
【請求項３】
上記請求項１のパネルタイプのキー入力補助部において、
タッチパネル面の入力ボタンの上方に位置する動画や画像や入力した文字を表示する範囲に存在せず、
パネルの表から裏の面まで貫通した複数の穴を有したパネル、及び、その穴を貫通しタッチパネル面を押すことができる突起部分を有した通常のキーボードと類似の機構のキー用ボタンを構成としたことを特徴とする、タッチパネルの入力補助用器具。
【請求項４】
上記請求項１のパネルタイプのキー入力補助部において、
それぞれのキーが同一のシリコンやゴムなどの変形が容易な物質のシート又はプレートに構成され、
前述のシート又はプレートにおいてプラスチックや金属やカーボンなどによる変形を抑制する物質、を構成したことを特徴とする、タッチパネルの入力補助用器具。
【請求項５】
上記請求項２のキー入力補助部のパネルのＦとＪの穴の下部におけるパネル表面上、又は、上記請求項３又は上記請求項４、のキー入力補助部のＦとＪのキー用ボタンにおいて、
指での認識用の凸又は凹又はそれらを複合した形状の構造を構成としたことを特徴とする、タッチパネルの入力補助用器具。
【請求項６】
上記請求項１記載のコンピューター端末の側面や側面付近に対して挟み込む又は囲み込んだ着脱固定用のフレーム又はクリップ部分におけるコンピューター端末の裏面側において、
通常のデスクトップパソコン等に使用する立てて固定ができ倒しても固定が可能であるキーボードの角度調整用の脚を構成としたことを特徴とする、タッチパネルの入力補助用器具。
【請求項７】
上記請求項１のコンピューター端末の側面や側面付近に対して挟み込む又は囲み込んだ着脱固定用のフレーム又はクリップ部分が、コンピューター外装と一体化したもの又はコンピューター外装自体として構成し、
上記請求項１におけるタッチパネル面上において設置するパネルタイプのキー入力補助部、
及び上記のコンピューター外装と上記の入力補助部を連結し、コンピューター端末のパネル面からコンピューター端末の裏側の面へ移動させるガイド、
及び、上記入力補助部をコンピューター端末の上面及び下面で固定する機構、
を構成としたことを特徴とする、コンピューター外装。
【請求項８】
変換用の表示ボタンを押すことにより、他の表示ボタン中に表記された文字から数字への変換が可能であるタッチパネルタイプのコンピューター端末のキー表示において、
（Ｆ７）と（７）、（Ｆ８）と（８）、（Ｆ９）と（９）、（Ｕ）と（４）、（Ｉ）と（５）、（Ｏ）と（６）、（Ｊ）と（１）、（Ｋ）と（２）、（Ｌ）と（３）、（Ｎ）と（０）、が一つのキー上に表示された同一表示キーを構成としたことを特徴とする、タッチパネルタイプのコンピューター端末。
【請求項９】
上記請求項８のボタンの大きさ又はボタンの形状を変化させて、各ボタン間における入力信号の関知領域の範囲を変化させる機能を有したことを特徴とする、タッチパネルタイプのコンピューター端末。
【発明の詳細な説明】
【技術分野】
【０００１】
本発明は、タッチパネルタイプのパーソナルコンピューターやタッチパネルタイプの電子書籍端末などのコンピューター類などにおいて画面に表示される入力用キーボードや入力用キーボード周辺のコンピューターの外装の改良に関する。
【背景技術】
【０００２】
ディスプレイ等の映像表示画面は平らでなければ他の画像表示の時凹凸が邪魔になるので、従来のタッチパネル方式のコンピューター用キーボードは、映像を見ながらでないとキーボード自体の表示すなわちキーの位置がわからなかったので、キー自体をシンプルにしたため、キーボードの使い勝手が悪いものであった。
【０００３】
図１は一般的なタッチパネルタイプのコンピューターを正面から見た簡略図の一例であり、（１）は表示画面の縁で、（２）は画面の表示部分であり、（３）の矢印は（１）付近の範囲を示したものである。
【０００４】
上記の例は説明のために記述したものであり、シート収納箱やシート収納箱を包装しているシートの形状、材質、構造などの種類は様々なものがある。
【０００５】
特開２００３−２４１８８９は、第２キーの選択的な操作により、第１キーに割り付けられた数字と他の文字を選択して入力するタッチスクリーン式のキーパッドが示されているが、各「数字キー」に対してアルファベットが複数個入っておりアルファベットの入力にはボタンを複数回押さなければならない場合が多いので指を動かす回数が増える。
【０００６】
特表２００６−５２６８５７は、数字０〜９で標識付けされた１０個に割り付けられた仮想スイッチの内の一つを入力した後、アルファベット文字及び数字で標識付けされた仮想スイッチの選択的な操作により、数字と他の英文字を選択して入力するタッチパネル式の文字入力方法が示されているが、この装置も上記０００５と同様にアルファベットの入力には複数回のボタンの入力が必要となる。
【０００７】
特開２００５−０９２４４１は、タブキーの選択的な操作により、１２キーに割り付けられた数字と他の英文字を選択して入力するタッチパネル式の文字入力方法が印されているが、この方法もアルファベットを入力する際英文字キーを何度も押さなければならず上記０００５と類似の問題点を有する。
【０００８】
特開２００１−２７３０７５は、タッチパネル式入力装置において、画面の表示より外に基準位置を識別する突起（以下、同様の働きをする突起を「識別突起」と記載）が付加されているが、これらは通常のパソコン用キーボードの突起の位置付近に存在するものではなく、操作には慣れが必要である。
【０００９】
特開２０００−２２２１０５は、指の移動をできるだけ少なくしたキーボードであるが、一般的なキーボードとは形状がかけ離れており、操作に慣れが必要である。
【００１０】
特開平０８−０６４０６３は、画面に粘着させる透明なタッチキーユニットに突起を設けたものである。
【００１１】
特開２０００−１８１６２９は、平坦な透明フィルムと凹凸のついた透明フィルムを組み合わせたものである。
【００１２】
特開２００１−１１７７２１は、タッチパネル式のキーボード上に、それぞれのキーに対応した穴を構成に持つ取り外し式のガイダンスを設けたものである。
【００１３】
特開２００１−２１６０７８は、表示されたキー上にキー識別用の凹凸を設けたものである。
【００１４】
特開２００３−２８１９５９は、タッチパネルの画面上に指が滑りやすい部分と滑りにくい部分を構成としたものである。
【００１５】
特開２００６−２９３９４５は、センサの形状に対応した触覚部（ユーザーが指先で触覚できる物理的構造物）とタッチパネルの構造を同一に構成したものである。
【先行技術文献】
【特許文献】
【００１６】
【特許文献１】特開２００３−２４１８８９
【特許文献２】特表２００６−５２６８５７
【特許文献３】特開２００５−０９２４４１
【特許文献４】特開２００１−２７３０７５
【特許文献５】特開２０００−２２２１０５
【特許文献６】特開平０８−０６４０６３
【特許文献７】特開２０００−１８１６２９
【特許文献８】特開２００１−１１７７２１
【特許文献９】特開２００１−２１６０７８
【特許文献１０】特開２００３−２８１９５９
【特許文献１１】特開２００６−２９３９４５
【非特許文献】
【００１７】
【非特許文献１】広辞苑  第６版
【発明の概要】
【発明が解決しようとする課題】
【００１８】
以上に述べた従来のタッチパネルタイプのコンピューターでは、タッチパネルのキー操作において不便なものであった。
【００１９】
本発明は、このような従来のタッチパネルタイプのコンピューターが有していた上記の問題を解決するために、通常のパソコン用キーボードに類似の入力用キーを変換用キーと連動させる同一キー表示とすることにより一目でどこにどのボタンがあるかの認識を簡便にし、タッチパネルタイプコンピューターの位置認識をしやすくする入力補助具の便利な使用が可能となることによりディスプレーの表示映像に影響を与えず入力用キーボードの使用を簡便に行える様にしたものである。
【課題を解決するための手段】
【００２０】
本発明のタッチパネルの入力補助用器具は上記目的を達成するために、
コンピューター端末の側面や側面付近に対して挟み込む又は囲み込んだ着脱固定用のフレーム又はクリップ部分、
及び、タッチパネル面上において設置するパネルタイプのキー入力補助部
及び上記の着脱固定用のフレーム又はクリップ部分と上記の入力補助部を連結し、コンピューター端末のパネル面からコンピューター端末の裏側の面へ移動させるガイド
及び、上記入力補助部をコンピューター端末の上面及び下面で固定する機構を構成したことを特徴とする。
【００２１】
本発明の一つのタッチパネルの入力補助用器具は、
上記００２０のパネルタイプのキー入力補助部において、
タッチパネル面の入力ボタンの上方に位置する動画や画像や入力した文字を表示する範囲に存在せず、
タッチパネルの入力用ボタン上に穴が空いたパネル、及び、そのパネルのコンピューター端末側の面に接触部分が小さくなるためのパネル支持用突起を構成としたことを特徴とする。
【００２２】
本発明の一つのタッチパネルの入力補助用器具は、
上記００２０のパネルタイプのキー入力補助部において、
タッチパネル面の入力ボタンの上方に位置する動画や画像や入力した文字を表示する範囲に存在せず、
パネルの表から裏の面まで貫通した複数の穴を有したパネル、及び、その穴を貫通しタッチパネル面を押すことができる突起部分を有した通常のキーボードと類似の機構のキー用ボタンを構成としたことを特徴とする、タッチパネルの入力補助用器具。
【００２３】
本発明の一つのタッチパネルの入力補助用器具は、
上記００２０のパネルタイプのキー入力補助部において、
それぞれのキーが同一のシリコンやゴムなどの変形が容易な物質のシート又はプレートに構成され、
前述のシート又はプレートにおいて、プラスチックや金属やカーボンなどによる変形を抑制する物質、を構成としたことを特徴とする。
【００２４】
本発明の一つのタッチパネルの入力補助用器具は、
上記００２１のキー入力補助部のパネルのＦとＪの穴の下部におけるパネル表面上、又は、上記００２２又は００２３のキー入力補助部のＦとＪのキー用ボタンにおいて、
指での認識用の凸又は凹又はそれらを複合した形状の構造を構成としたことを特徴とする、タッチパネルの入力補助用器具。
【００２５】
本発明の一つのタッチパネルの入力補助用器具は、
上記００２０記載のコンピューター端末の側面や側面付近に対して挟み込む又は囲み込んだ着脱固定用のフレーム又はクリップ部分におけるコンピューター端末の裏面側において、
通常のデスクトップパソコン等に使用する立てて固定ができ倒しても固定が可能であるキーボードの角度調整用の脚を構成としたことを特徴とする、タッチパネルの入力補助用器具。
【００２６】
本発明の一つのコンピューター外装は、上記００２０のコンピューター端末の側面や側面付近に対して挟み込む又は囲み込んだ着脱固定用のフレーム又はクリップ部分が、コンピューター外装と一体化したもの又はコンピューター外装自体として構成し、  上記００２０におけるタッチパネル面上において設置するパネルタイプのキー入力補助部、
及び上記のコンピューター外装と上記の入力補助部を連結し、コンピューター端末のパネル面からコンピューター端末の裏側の面へ移動させるガイド、
及び、上記入力補助部をコンピューター端末の上面及び下面で固定する機構、を構成としたことを特徴とする。
【００２７】
本発明のタッチパネルタイプのコンピューター端末は、
変換用の表示ボタンを押すことにより、他の表示ボタン中に表記された文字から数字への変換が可能であるタッチパネルタイプのコンピューター端末のキー表示において、
（Ｆ７）と（７）、（Ｆ８）と（８）、（Ｆ９）と（９）、（Ｕ）と（４）、（Ｉ）と（５）、（Ｏ）と（６）、（Ｊ）と（１）、（Ｋ）と（２）、（Ｌ）と（３）、（Ｎ）と（０）、が一つのキー上に表示された同一表示キー、を構成としたことを特徴とする。
【００２８】
本発明の、タッチパネルタイプのコンピューター端末は、
上記００２７のボタンの大きさ又はボタンの形状を変化させて、各ボタン間における入力信号の関知領域の範囲を変化させる機能を有したことを特徴とする。
【００２９】
上記００２０の作用は、
コンピューター端末の側面や側面付近に対して挟み込む又は囲み込んだ着脱固定用のフレーム又はクリップ部分、
及び、タッチパネル面上において設置するパネルタイプのキー入力補助部
及び上記の着脱固定用のフレーム又はクリップ部分と上記の入力補助部を連結し、コンピューター端末のパネル面からコンピューター端末の裏側の面へ移動させるガイド
及び、上記入力補助部をコンピューター端末の上面及び下面で固定する機構を構成したことを特徴とするために、
キー入力の補助用器具が装備されてないタッチパネルタイプのコンピューターでも、キー入力の補助用器具を使用できる様にすることが可能である。
【００３０】
上記００２１の作用は、
タッチパネル面の入力ボタンの上方に位置する動画や画像や入力した文字を表示する範囲に存在しないために、タッチパネル面では画像を見ることができ、タッチパネルの裏側面では収納がしやすく裏側面に他の機能を持たせやすくでき、
また、タッチパネルの入力用ボタン上に穴が空いたパネルと、そのパネルのコンピューター端末側の面に接触部分が小さくなるためのパネル支持用突起を構成としたことにより、パネル上に指をおいてもパネルがタッチパネルのボタン付近の入力面を押しにくくでき、構造をシンプルにすることが可能である。
【００３１】
上記００２２の作用は、
タッチパネル面の入力ボタンの上方に位置する動画や画像や入力した文字を表示する範囲に存在しないために、タッチパネル面では画像を見ることができ、タッチパネルの裏側面では収納がしやすく裏側面に他の機能を持たせやすくでき、
パネルの表から裏の面まで貫通した複数の穴を有したパネル、及び、その穴を貫通しタッチパネル面を押すことができる突起部分を有した通常のキーボードと類似の機構のキー用ボタンを構成としたことことにより、パネル上に指をおいてもパネルがタッチパネルを押しにくくでき、また、タッチパネルを通常のキーボードに近いタッチで入力することが可能である。
【００３２】
上記００２３の作用は、
上記００２０のパネルタイプのキー入力補助部において、それぞれのキーが同一のシリコンやゴムなどの変形が容易な物質のシート又はプレートに構成され、前述のシート又はプレートにおいて、プラスチックや金属やカーボンなどによる変形を抑制する物質、を構成としたために、タッチパネルを通常のキーボードに近いタッチで入力することが可能である。
【００３３】
上記００２４の作用は、
上記００２１のパネルタイプのキー入力補助部のパネルのＦとＪの穴の下部におけるパネル表面上、又は、上記００２２又は上記００２３のパネルタイプのキー入力補助部のＦとＪのキー用ボタンにおいて、
指での認識用の凸又は凹又はそれらを複合した形状の構造を構成としたことにより、通常のキーボードと同じ感覚でキーの位置の把握をすることができる。
【００３４】
上記００２５の作用は、
上記００２０記載のコンピューター端末の側面や側面付近に対して挟み込む又は囲み込んだ着脱固定用のフレーム又はクリップ部分におけるコンピューター端末の裏面側において、
通常のデスクトップパソコン等に使用する立てて固定ができ倒しても固定が可能であるキーボードの角度調整用の脚を構成としたことにより、机等にコンピューター端末をおいた時にコンピューター端末の角度を変えることができる。
【００３５】
上記００２６の作用は、
上記００２０のコンピューター端末の側面や側面付近に対して挟み込む又は囲み込んだ着脱固定用のフレーム又はクリップ部分が、コンピューター端末と一体化したもの又はコンピューター端末自体として構成し、上記００２０におけるタッチパネル面上において設置するパネルタイプのキー入力補助部、及び上記のコンピューター外装と上記の入力補助部を連結し、コンピューター端末のパネル面からコンピューター端末の裏側の面へ移動させるガイド、及び、上記入力補助部をコンピューター端末の上面及び下面で固定する機構、を構成としたために、コンピューター自体が本発明の請求項１の作用を有し、使用することが可能となる。
【００３６】
上記００２７の作用は、文字キーを抑えてシフト用のキーを押すことにより文字を数字に変化させるキーボードにおいて、  （Ｆ７）と（７）、（Ｆ８）と（８）、（Ｆ９）と（９）、（Ｕ）と（４）、（Ｉ）と（５）、（Ｏ）と（６）、（Ｊ）と（１）、（Ｋ）と（２）、（Ｌ）と（３）、（Ｎ）と（０）、が同一のキーで表記された表示キーを有するために、
タッチパネルタイプキーボードの表示を、通常のキーボードのアルファベット表示と通常の数値キーにより近い並びにすることができる。
【００３７】
上記００２８の作用は、上記００２７のボタンの大きさ又はボタンの形状を変化させて、各ボタン間における入力信号の関知領域の範囲を変化させる機能を有するために、
タッチパネルに表示されたキーにおける、キーの関知領域を広くしてダイレクトに指で入力しやすくしたり、キーの関知領域を狭くしてキーとキーの間隔を広くしてパネルに不意にものが当たってもパネルが反応しすぎない様にすることができる。
【発明の効果】
【００３８】
上記００２０の効果は、キー入力の補助用器具が装備されてないタッチパネルタイプのコンピューターでも、キー入力の補助用器具を使用できる様にすることが可能であるために、使用者のニーズに合わせた機器の使用に柔軟に対応することができるという効果を有する。
【００３９】
上記００２１の効果は、
タッチパネル面では画像を見ることができ、タッチパネルの裏側面では収納がしやすく裏側面に他の機能を持たせやすくでき、また、パネル上に指をおいてもパネルがタッチパネルを押しにくくでき、構造をシンプルにすることが可能であるために、持ち運び及びキー入力に便利なタッチパネル式コンピュータ端末の使用ができるという効果を有する。
【００４０】
上記００２２の効果は、
タッチパネル面では画像を見ることができ、タッチパネルの裏側面では収納がしやすく裏側面に他の機能を持たせやすくでき、また、パネル上に指をおいてもパネルがタッチパネルを押しにくくでき、また、タッチパネルを通常のキーボードに近いタッチで入力することが可能であるために、持ち運び及びキー入力に便利な通常のキーボードに近いタッチ感覚のタッチパネル式コンピュータ端末の使用ができるという効果を有する。
【００４１】
上記００２３の効果は、タッチパネルを通常のキーボードに近いタッチで入力することが可能であるために、通常のキーボードに近い感じでタッチパネル式コンピューターを使用することができるという効果を有する。
【００４２】
上記００２４の効果は、
通常のキーボードと同じ感覚でキーの位置の把握をすることができるために、使用者のキー操作がしやすくなるという効果を有する。
【００４３】
上記００２５の効果は、
机等にコンピューター端末をおいた時にコンピューター端末の角度を変えることができるために、使用者が簡便にコンピューター端末の角度を調整することができるという効果を有する。
【００４４】
上記００２６の効果は、コンピューター自体が本発明の請求項１の作用を有し、使用することが可能となるために、コンピューター自体をスリムにすることができるという効果を有する。
【００４５】
上記００２７の効果は、パソコン用キーボードのＦ７、Ｆ８、Ｆ９、Ｕ、Ｉ、Ｏ、Ｊ、Ｋ、Ｌ、Ｎを表記したキーにおいてそれらの文字に対応した数字が割り当てられているので、通常のキーボードと同様のアルファベットの配列による入力や、通常の計算機の文字配列に近い数値キーの表示と入力が行え、キーボードがコンパクトに表示されるために、キーボード部分以外のタッチパネルの画面上における動画や画像や文字などを映し出す部分の範囲を広く表示したり、マウスの働きをするタッチ式のマウスやタッチパネルを利用した手書き文字入力などが行えるという効果を有する。
【００４６】
上記００２８の効果は、タッチパネルに表示されたキーにおける、キーの関知領域を広くしてダイレクトに指で入力しやすくしたり、キーの関知領域を狭くしてキーとキーの間隔を広くしてパネルに不意にものが当たってもパネルが反応しすぎない様にすることができるために、タッチパネルの補助用装置が使いやすくなるという効果を有する。
【図面の簡単な説明】
【００４７】
【図１】従来のタッチパネルタイプのコンピューター外装一例の簡略図
【図２】本発明で使用可能である凸形状一例の簡略図
【図３】本発明で使用可能である凹形状一例の簡略図
【図４】本発明で使用可能である凸又は凹形状一例の簡略図
【図５】本発明の着脱用フレーム一例の簡略図
【図６】本発明の着脱用フレーム一例の簡略図
【図７】本発明の着脱用フレーム一例の簡略図
【図８】本発明のキー入力補助部一例の簡略図
【図９】本発明のキー入力補助部一例の簡略図
【図１０】本発明のキー入力補助部一例の簡略図
【図１１】本発明のキー入力補助部一例の簡略図
【図１２】本発明の収納式の脚一例の簡略図
【図１３】本発明で使用可能な構造部分一例の簡略図
【図１４】本発明のタッチパネルタイプのコンピューター一例の簡略図
【図１５】本発明のタッチパネルタイプのコンピューター一例の簡略図
【図１６】本発明のタッチパネルタイプのコンピューター一例の簡略図
【図１７】本発明のタッチパネルタイプのコンピューター部分一例の簡略図
【図１８】本発明のタッチパネルタイプのコンピューター一例の断面簡略図
【図１９】本発明で表示可能であるタッチパネルの機能表示一例の簡略図
【図２０】本発明で使用可能であるガイド一例の簡略図
【図２１】本発明で使用可能なストッパーと入力パネル連動機構一例の簡略図
【発明を実施するための形態】
【００４８】
以下、本発明の形態を図２〜図１３に基づいて説明する。
【００４９】
図２は本発明の請求項５で使用可能な断面構造の簡略図の一例を示し、（６）は（１）の平面になった部分で、（４）は平面より盛り上がった凸形状の部分で、（５）はくぼみ部分であり、（Ａ）は突起がドーム状になったもので、（Ｂ）は突起の頂点が平らになったものであり、（Ｃ）は突起の頂点がくぼんだものであり、（Ｄ）はくぼみが（Ｃ）より大きいものである。
【００５０】
図３は本発明の請求項５で使用可能な断面構造の簡略図の一例を示し、（６）は（１）の平面になった部分で、（４）は平面より盛り上がった凸形状の部分で、（５）はくぼみ部分であり、（Ａ）はくぼみがドーム状になったもので、（Ｂ）はくぼみの底が平らになったものであり、（Ｃ）はくぼみに突起を設けたものであり、（Ｄ）は突起が（Ｃ）よりなだらかになったになったものである。
【００５１】
図４は本発明の請求項５で使用可能な構造の上から見た簡略図の一例を示し、（Ａ）〜（Ｄ）の（７）は上から見たくぼみ又は突起であり、曲線形状又は直線形状又はその複合した形状によりなり、図２や３及び図４で用いられているものとの組み合わせや他の形状のものとの組み合わせは、本発明の条件を満たすものであればその種類は限定しない。
【００５２】
図５は本発明の請求項１で使用可能な構造の正面の断面簡略図の一例を示し、（９）はコンピューター端末の側面や側面付近に対して挟み込む着脱固定用のフレーム部分であり、（８）はコンピューター端末の側面付近をスライドさせてはめ込む部分を示したものである。
【００５３】
図６は本発明の請求項１で使用可能な構造を側面から見た簡略図の一例を示し、（９）は図５の（９）の（８）付近と同様の働きをするものを横から見たもので、（１０）と（１０’）と（１０’’）は左右の（９）をつなぐフレームで、（１１）は請求項１のキー入力補助部をタッチパネルタイプコンピューターのパネル面と裏の面の間において移動させるガイドである。
【００５４】
図７は本発明の図６を上から見た図であり、（１０’’）側からコンピューター端末を出し入れするタイプのものである。
【００５５】
図８は本発明の請求項２の簡略図一例を示し、（１２）は請求項２のパネル型のキー入力補助用器具で、（１３）の指の通過が可能な穴と、（１３’）のガイド通過用の穴と、キーボードのＦとＪのボタンの下部付近のパネル（１２）に（７）のくぼみ又は突起を有したものであり、本発明のパネルの形状や構造や材質の種類は本発明の条件を満たすものであれば、その種類は限定しない。
【００５６】
図９は本発明の請求項２の接触部分が小さくなるためのパネル支持用突起の簡略図一例を示し、（Ａ）は（１２）の断面図で（１２’）はタッチパネル面（２）に接触しその接触部分が小さくなるための突起であり、（Ｂ）及び（Ｃ）は（１２）を上から見た図で、（Ｂ）の（１２’）は線状に（１２’）が（１２）を支えるもので、（Ｃ）の（１２’）は部分的な突起で（１２）を支えるものである。
【００５７】
図１０は本発明の請求項３で使用可能である機構の簡略図一例を示し、（Ａ）は請求項３を上から見た部分図で、（Ｂ）は（Ａ）の断面図であり、（１２’）をもつパネル部分に（１５）のバネ部を固定し、（１５）に設けた穴に（１４’）の突起により固定される（１４）のボタン部分を示したものである。
【００５８】
（１４”）は（１４）を押すことにより、パネルの穴から下へ出て（２）のタッチパネルを押すボタンの下部である。
【００５９】
また、図１０の（Ｂ）の（１２）は一体型で一枚のパネルが作られたものであっても、（１２）が（Ｘ）層のパネルと（Ｙ）層の２層のパネルよりなり（Ｘ）層と（Ｙ）層の間にバネなどを挟んだ後に２層を合わせるものであってもよく、その種類は限定しない。
【００６０】
図１１は本発明の請求項１のガイドの簡略図一例を示し、（１０）のフレームに（１６）の軸による回転運動をするアーム型ガイド部分に、（１２）のパネルが連結したものである。
【００６１】
（１２）のパネルをタッチパネル面からタッチパネルの裏側の面まで移動させる方式は、図６の様にスライドさせるタイプのガイドであっても、図１１の様にアームと軸を利用した回転運動によるタイプのガイドであってもよく、（１２）と（９）を取り外さなくてもタッチパネル式のコンピューター端末の表面から裏面まで移動させることができるものであれば、その種類は限定しない。
【００６２】
また、（１０）や（１１）や（１２）や（１６）自体が取り外し可能であってもよく、本発明の請求項の条件を満たすものであれば、その種類は限定しない。
【００６３】
図１２は本発明の請求項６の装置一例の図であり、（Ａ）は図７の（１０’’）と同様のフレーム構成部を裏側から見た図であり、（１７）は通常のパソコン用のキーボードと同様に収納できる脚であり、（Ｂ）は（Ａ）を横から見た断面図であるが、脚の固定の種類や形状や構造など、その種類は限定しない。
【００６４】
図１３は本発明で使用可能な構造部分一例の図であり、（Ａ）は図１２の（１７）と（１０’’）付近の図、（Ｂ）は図７と図８などで使用可能なフレームとパネルの固定用の凹凸の図、（Ｃ）は本発明のフレームとパネルで使用可能な構造の断面図例であり、（Ａ）は（１９）が（１８）の中に入り回転する軸となり、（Ｂ）は（２１）が（９）に接触してスライドし（２０）の中に入ることにより固定されるストッパーの役目をする構造の例である。
【００６５】
また図１３の（Ｃ）は、フレーム（９）の上側がコンピューター端末のタッチパネル表示面上で隙間を空けパネル（１２）を支えて固定し、（９）の下部に（１２）を回してきた時にはそのままフレームの間に挟み突起で固定する、フレームの構造の例である。
【００６６】
本発明の請求項１〜請求項７は、本発明の下記の請求項８、請求項９以外のキー配列のタッチパネルタイプのコンピューター端末でも使用が可能であり、他のキーボード配列に対応させて製造するなど、本発明の請求項８、請求項９に関わらず本発明請求項１〜請求項７の応用の種類は限定しない。
【００６７】
図２〜図１３は本発明の説明のために記載した例であり、それらの形状や構造や材質などを限定したものでなく、類似の効果を示すものであり本発明の請求項の条件を含んだものであれば、それらの種類は限定しない。
【実施例】
【００６８】
図１４は本発明の請求項８のタブレットタイプのコンピューター一例の簡略図を示したものであり、表示ボタンの大きさを変えてボタンとボタンの間隔を変化させることにより本発明の請求項９の機能を有するものとすることができる。
【００６９】
図１５は本発明の請求項３と請求項５と請求項８と請求項９のタッチパネルタイプのコンピューター一例の簡略図を示したもので、（１２）は請求項３のボタンを有するパネルで、（９）は請求項１のフレーム部分で、（１６）は請求項１及び図１１と類似の機能のガイドで、ＦとＪのボタンには請求項５の突起を設けたもので、図１４の様にタッチパネルの構成位置や構成方向は様々に構成でき、本発明の条件を満たすものであれば、その種類は限定しない。
【００７０】
また、図１５のアルファベットに対して、本発明以外の他の配列の表示にするものなども考えることができる。
【００７１】
「Ｓｈｉｆｔ」キーを押さえることにより同一のキー中に表示された文字や記号の入力が行え、「Ｓｈｉｆｔ  ｋｅｅｐ」キーを押さえることによりＳｈｉｆｔボタンを押さえなくても持続して複数のキーの同一キー側の文字又は記号の入力が行え、「全／半  Ｃａｐｓ  Ｌｏｃｋ」キーは文字の全角日本語又は半角アルファベットの表示切り替えを行い半角表示の時に「Ｆｎ」キーと「全／半  Ｃａｐｓ  Ｌｏｃｋ」を同時に押さえることにより連続したアルファベットの大文字の入力が行え、「Ｃｈａｎｇｅ」と表示のあるスペースキーを同時に押すことにより入力又はキーを押す前に入力した文字や記号を変換できるものである。
【００７２】
図１６は本発明のタッチパネルタイプのコンピューター外装一例の簡略図を示し、本発明の請求項１と請求項４と請求項７と請求項８と請求項９を有したものの例であり、上記図１５と類似したＦとＪとＦ４とＦ８に請求項５の突起を有し、（１）は本発明請求項７のコンピューター外装で、（１２’）は請求項４のパネルで、（９’）は（１２’）を固定するための（１）に設けられたくぼみである。
【００７３】
また、図１６は数値キーの表示を通常の計算機と類似したものとし、アルファベットの表示は通常のキーボードの表示と同じものであり、通常のキーボードにある記号のほとんどを表示しているので、プログラミング等にも使用でき、また、コンピューター外装の大きさの種類もＡ４サイズのものからそれより小さなものなど、様々なものが考えられる。
【００７４】
図１７は本発明の請求項４及び請求項５のタッチパネルタイプのキーボード一例の簡略図を示し、（Ａ）は請求項４のゴム又はシリコン製の弾力性のある変形しやすい物質（１９）の内部にプラスチックやカーボンなどの変形しにくい物質（１８）が内蔵されたものの断面、（Ｂ）は（１９）に（１８）を貫通させて固定したものの断面、（Ｃ）は（Ｂ）の（１９）を（Ｂ）と垂直な方向から見た部分図で（１９’）は（１８）を貫通させ固定するための穴であり、（１８）や（１９）の形状や構造や材質の種類は様々なものが考えられ、その種類は限定しない。
【００７５】
また、図１７の（Ｄ）は本発明の請求項４のタッチパネルタイプのキーボード一例の簡略図を示し、（１９）の周囲に（１８）が設置され、（１３’）のガイド用の穴を有したものであり、本発明の請求項の条件を満たすものであればそれらの形状や構造や材質の種類は限定しない。
【００７６】
図１７は本発明の請求項４及び請求項５のタッチパネルタイプのキーボード一例の簡略図を示し、（１９’’）は（１９）に設けられたタッチパネル用のボタンであり、（２０）は（１９’’）に設けられた請求項５の突起であり、本発明の請求項の条件を満たすものであればそれらの形状や構造や材質の種類は限定しない。
【００７７】
図１８の（Ａ）は本発明の請求項７のコンピューター外装の断面一例の簡略図を示し、（２２）は請求項１のフレームとコンピュータ本体の一部分が一体化した請求項７のものであり、（２１）はタッチパネル面、（２３）は請求項２や請求項３や請求項４のパネルを固定するために設けたパネル固定用の突起である。
【００７８】
また、図１８の（Ａ）はパネルの固定部分のみを記載したものであるが、同様に本明細書の図１１の（１０）や図１２の（１０’’）を一体化したものも考えることができ、本発明の請求項の条件を満たすものであればそれらの形状や構造や材質の種類は限定しない。
【００７９】
図１８の（Ｂ）は図１６の（１６’）付近を含む断面図であり、（１）上面と下面のくぼみに（１２’）のパネルが固定されるものである。
【００８０】
図１９は本発明の図１４〜図１６に表示可能である機能表示部分を示したものであり、（Ａ）はマウスの働きをするタッチパネル上の表示で（Ｂ）は（Ａ）の後側にある機能表示部分が前面に表示された手書き入力部分であり、（Ｃ）はタッチパネル上に表示される動作をする前の状態に戻したり、元に戻した動作を進めたり、文字の色を変えたりする機能ボタンであり、従来から存在するものである。
【００８１】
図１９などの機能のための表示の使用は、入力補助用パネルの使用時に上のタッチパネル画面に表示し、他の外付けのディスプレイを使用してキーボードの様に使用するなど様々であり、本発明の条件を満たすものであればその種類は限定しない。
【００８２】
図２０の（Ａ）は図１６の請求項７記載のガイド一例の簡略図を示し、（１６）はコンピューター外装（１６）に軸で連結するパネルを連結するためのガイドである。
【００８３】
図２０の（Ｂ）は（１６）に矢印方向の弾性を持たせた材質のものを示した例であるが、ガイドの種類は硬質の高分子化合物や金属などのものであっても、また弾性のある高分子化合物などのものであってもよく、その種類は限定しない。
【００８４】
図２１の（Ａ）と（Ｂ）は本発明で使用可能であるストッパー一例を示し、ストッパーを横方向にスライドさせることによりパネルを固定するタイプのもの、（Ｂ）はコンピューター外装又は着脱用のフレームなどに磁石を装着しパネルにも磁石を装着させることでパネルを固定するストッパーを示したものである。
【００８５】
図２１の（Ｃ）は入力用パネルをコンピューター外装のタッチパネル面に固定することにより、タッチパネル面付近に設けられたボタンを入力用パネルが押して、コンピューターが入力用補助パネルの使用モードになるためのボタン周辺を示したものの例である。
【００８６】
また、ＵＳＢケーブルなどを使用した有線の通信や、無線ＬＡＮなどを使用した無線通信による、モニタや他の機器を使用した機器同士の連携機能などの使用は様々であり、本発明の条件を満たすものであればその種類は限定しない。
【００８７】
請求項１の本発明のキー入力補助用器具はプラスチックやシリコンやゴムなどの高分子化合物や金属やガラスやカーボンや木や繊維製品等で作ってもよく、本発明の請求項１の条件を満たすものであれば、その種類は限定しない。
【００８８】
また、（２）のパネルなどにキズ防止用の通常のゲーム機等で使用する透明なフィルムを貼って使用するなど、他の機能やものとの併用や組み合わせなど、その種類は限定しない。
【００８９】
本発明の請求項１の装置とタッチパネルタイプのコンピュータ端末を一体化して製造することも考えることができ、（１２）等の働きをする部品とコンピューター本体にマグネットを用いて（１２）の開閉した時の固定をするものなども考えることができる。
【００９０】
本発明の実施態様は以下の通りである。
１．本発明のタッチパネルタイプのコンピューター端末は、本発明の条件を満たすものであれば、形状や構造や材質など、その種類は限定しない。
２．本発明のタッチパネルタイプのコンピューター端末は、本発明の条件を満たすものであれば、他の機能や装置との組み合わせなど、その種類は限定しない。
３．本発明の請求項８に組み合わせる他のキーの種類は様々である。
４．本発明の請求項８の構成位置の種類は、本発明の条件を満たすものであれば、限定しない。
５．本発明の請求項１〜請求項７は、本発明の請求項８、請求項９以外のタッチパネルタイプのコンピューター端末にも使用することができる。
【符号の説明】
【００９１】
１：表示画面の縁  、  ２：画面の表示部分  、  ３：１付近の範囲  、
４：突起  、  ５：くぼみ  、  ６：平らな面
７：くぼみ又は突起の形状例  、  ８：コンピューター端末の固定部付近  、
９：コンピューター端末の固定用フレーム  、    ９’：コンピューター外装
１０：ガイドの固定用フレーム  、  １０’・１０’’：下部のフレーム  、
１１：スライド用ガイド  、  １２・１２’：パネル  、
１２’：パネル裏側の突起物  、  １３：パネルに設けた穴  、
１３’：パネルに設けたガイド用の穴  、  １４：：指に接するボタン表面  ，
１４’：ボタン固定用の突起  、  １４’’：タッチパネルを押すボタン下部部分  、１５：バネ  、  １６：アーム型ガイド  、  １７：収納式の脚     、
１８：変形しにくい材質の構造物    、    １９：変形しやすい材質の構造物    、１９’：変形しやすい材質の構造物に設けた穴    、    １９’’：キー用ボタン    、
２０：指での感知用突起    、    ２１：タッチパネル面    ，
２２：コンピューターの断面部分    、
２３：コンピュータ部分に設けたパネルの固定用突起
【図１】
2015039069.tif 000003
【図２】
2015039069.tif 000004
【図３】
2015039069.tif 000005
【図４】
2015039069.tif 000006
【図５】
2015039069.tif 000007
【図６】
2015039069.tif 000008
【図７】
2015039069.tif 000009
【図８】
2015039069.tif 000010
【図９】
2015039069.tif 000011
【図１０】
2015039069.tif 000012
【図１１】
2015039069.tif 000013
【図１２】
2015039069.tif 000014
【図１３】
2015039069.tif 000015
【図１４】
2015039069.tif 000016
【図１５】
2015039069.tif 000017
【図１６】
2015039069.tif 000018
【図１７】
2015039069.tif 000019
【図１８】
2015039069.tif 000020
【図１９】
2015039069.tif 000021
【図２０】
2015039069.tif 000022
【図２１】
2015039069.tif 000023
【手続補正書】
【提出日】平成23年7月6日(2011.7.6)
【手続補正１】
【補正対象書類名】明細書
【補正対象項目名】全文
【補正方法】変更
【補正の内容】
【発明の詳細な説明】
【技術分野】
【０００１】
本発明は、タッチパネルタイプのパーソナルコンピューターやタッチパネルタイプの電子書籍などのコンピューター類などにおいて画面に表示される入力用キーボードや入力用キーボード周辺のコンピューターの外装の改良に関する。
【背景技術】
【０００２】
ディスプレイ等の映像表示画面は平らでなければ他の画像表示の時凹凸が邪魔になるので邪魔になるので、従来のタッチパネル方式のコンピューター用キーボードは、映像を見ながらでないとキーボード自体の表示すなわちキーの位置がわからなかったので、キー自体をシンプルにしたため、キーボードの使い勝手が悪いものであった。
【０００３】
図１は一般的なタッチパネルタイプのコンピューターを正面から見た簡略図の一例であり、（１）は表示画面の縁で、（２）は画面の表示部分であり、（３）の矢印は（１）付近の付近の範囲を示したものである。
【０００４】
特開２００３−２４１８８９は、第２キーの選択的な操作により、第１キーに割り付けられた数字と他の文字を選択して入力するタッチスクリーン式のキーパッドが示されているが、各「数字キー」に対してアルファベットが複数個入っておりアルファベットの入力にはボタンを複数回押さなければならない場合が多いので指を動かす回数が増える。
【０００５】
特表２００６−５２６８５７は、数０〜９で標識付けされた１０個に割り付けられた仮想スイッチの内の一つを入力した後、アルファベット文字及び数字で標識付けされた仮想スイッチの選択的な操作により、数字と他の英文字を選択して入力するタッチパネル式の文字入力方法が示されているが、この装置も上記０００４と同様にアルファベットの入力には複数回のボタンの入力が必要となる。
【０００６】
特開２００５−０９２４４１は、タブキーの選択的な操作により、１２キーに割り付けられた数字と他の英文字を選択して入力するタッチパネル式の文字入力方法が記されているが、この方法もアルファベットを入力する際英文字キーを何度も押さなければならず上記０００４と類似の問題点を有する。
【０００７】
特開２００１−２７３０７５は、タッチパネル式入力装置において、画面の表示より外に基準位置を識別する突起（以下、同様の働きをする突起を「識別突起」と記載）が付加されているが、これらは通常のパソコン用キーボードの突起の位置付近に存在するものではなく、操作には慣れが必要である。
【０００８】
特開２０００−２２２１０５は、指の移動をできるだけ少なくしたキーボードであるが、一般的なキーボードとは形状がかけ離れており、操作に慣れが必要である。
【０００９】
特開平０８−０６４０６３は、画面に粘着させる透明なタッチキーユニットに突起を設けたものである。
【００１０】
特開２０００−１８１６２９は、平坦な透明フィルムと凹凸のついた透明フィルムを組み合わせたものである。
【００１１】
特開２００１−１１７７２１は、タッチパネル式のキーボード上に、それぞれのキーに対応した穴を構成に持つ取り出し式のガイダンスを設けたものである。
【００１２】
特開２００１−２１６０７８は、表示されたキー上にキー識別用の凹凸を設けたものである。
【００１３】
特開２００３−２８１９５９は、タッチパネルの画面上に指が滑りやすい部分と滑りにくい部分を構成としたものである。
【００１４】
特開２００６−２９３９４５は、センサの形状に対応した触覚部（ユーザーが指先で触覚できる物理的構造物）とタッチパネルの構造を同一に構成したものである。
【先行技術文献】
【特許文献】
【００１５】
【特許文献１】特開２００３−２４１８８９
【特許文献２】特表２００６−５２６８５７
【特許文献３】特開２００５−０９２４４１
【特許文献４】特開２００１−２７３０７５
【特許文献５】特開２０００−２２２１０５
【特許文献６】特開平０８−０６４０６３
【特許文献７】特開２０００−１８１６２９
【特許文献８】特開２００１−１１７７２１
【特許文献９】特開２００１−２１６０７８
【特許文献１０】特開２００３−２８１９５９
【特許文献１１】特開２００６−２９３９４５
【非特許文献】
【００１６】
【非特許文献１】広辞苑  第６版
【発明の概要】
【発明が解決しようとする課題】
【００１７】
以上に述べた従来のタッチパネルタイプのコンピューターでは、タッチパネルのキー操作において不便なものであった。
【００１８】
本発明は、このような従来のタッチパネルタイプのコンピューターが有していた上記の問題を解決するために、通常のパソコン用キーボードに類似の入力用キーと連動させる同一キー表示とすることにより一目でどこにどのボタンがあるのかの認識を簡便にし、タッチパネルタイプコンピューターに位置認識をしやすくする入力補助具の便利な使用が可能となることによりディスプレーの表示映像に影響を与えず入力用キーボードの使用を簡便に行えるようにしたものである。
【課題を解決するための手段】
【００１９】
本発明のタッチパネル用入力補助器具は上記目的を達成するために、
コンピューター端末の側面や側面付近に対して挟み込む又は囲み込んだ着脱固定用のフレーム又はクリップ、
及び、タッチパネル面上において設置するキー入力用の凹凸を有するパネル、
及び上記の着脱固定用のフレーム又はクリップと上記の入力補助部を連結し、コンピューター端末のタッチパネル面からコンピューター端末の裏側の面へキー入力用の凹凸を有するパネルを移動させるガイド、
及び、上記入力補助部をコンピューター端末のタッチパネル面及びコンピューター端末の裏側の面で固定する機構を構成したことを特徴とする。
【００２０】
本発明の一つのタッチパネル用入力補助器具は、
上記００１９のキー入力用の凹凸を有するパネルにおいて、
タッチパネル面の入力ボタンの上方に位置する動画や画像や入力した文字を表示する範囲にキー入力用の凹凸を有するパネルが存在せず、
タッチパネルの入力用ボタン上に穴が開いたキー入力用の凹凸を有するパネル、及び、そのパネルのコンピューター端末側の面に接触部分が小さくなるためのパネル支持用突起を構成としたことを特徴とする。
【００２１】
本発明の一つのタッチパネル用入力補助器具は、
上記００１９のキー入力用の凹凸を有するパネルにおいて、
タッチパネル面の入力ボタンの上方に位置する動画や画像や入力した文字を表示する範囲にキー入力用の凹凸を有するパネルが存在せず、
パネルの表から裏まで貫通した複数の穴を有したキー入力用の凹凸を有するパネル、及びその穴を貫通しタッチパネル面を押すことができる突起部分を有した通常のキーボードと類似の機構のキー用ボタンを構成としたことを特徴とする。
【００２２】
本発明の一つのタッチパネル用入力補助器具は、
上記００１９のキー入力用の凹凸を有するパネルにおいて、
それぞれのタッチパネルへの入力用ボタンが同一のシリコンやゴムなどの変形が容易な物質のシート又はプレートに構成され、
前述のシート又はプレートに、プラスチックや金属やカーボンなどの変形を抑制する物質を内蔵したことを特徴とする。
【００２３】
本発明の一つのタッチパネル用入力補助器具は、
上記００２０のキー入力用の凹凸を有するパネルのFとJの穴の下部におけるキー入力用の凹凸を有するパネル表面上、又は、上記００２１又は００２２のキー入力用の凹凸を有するパネルのFとJのキー用ボタンにおいて、
指での認識用の凸又は凹又はそれらを複合した形状の構造を構成としたことを特徴とする。
【００２４】
本発明の一つのタッチパネル用入力補助器具は、
上記００１９記載のコンピューター端末の側面や側面付近に対して挟み込む又は囲み込んだ着脱固定用のフレーム又はクリップにおけるコンピューター端末の裏側面において、
通常のデスクトップパソコン等に使用する立てて固定ができ倒しても固定が可能であるキーボードの角度調整用の脚を構成としたことを特徴とする。
【００２５】
本発明の一つのコンピューター外装は、上記００１９のコンピューター端末の側面や側面付近に対して挟み込む又は囲み込んだ着脱固定用のフレーム又はクリップが、コンピューター外装と一体化したもの又はコンピューター外装自体として構成し、上記００１９におけるタッチパネル面上において設置するキー入力用の凹凸を有するパネル、
及び上記のコンピューター外装と上記のキー入力用の凹凸を有するパネルを連結し、コンピューター端末のタッチパネル面からコンピューター端末の裏側面へキー入力用の凹凸を有するパネルを移動させるガイド、
及び、上記入力補助部をコンピューター端末のタッチパネル面及びコンピューター端末の裏側の面で固定する機構、を構成としたことを特徴とする。
【００２６】
上記００１９の作用は、コンピューター端末の側面や側面付近に対して挟み込む又は囲み込んだ着脱固定用のフレーム又はクリップ、及び、タッチパネル面上において設置するキー入力用の凹凸を有するパネル、及び上記の着脱固定用のフレーム又はクリップと上記の入力補助部を連結し、コンピューター端末のタッチパネル面からコンピューター端末の裏側の面へキー入力用の凹凸を有するパネルを移動させるガイド、及び、上記入力補助部をコンピューター端末のタッチパネル面及びコンピューター端末の裏側の面で固定する機構を構成したことを特徴とするために、
キー入力の補助用器具が装備されてないタッチパネルタイプのコンピューターでも、キー入力の補助用器具を使用できるようにすることが可能である。
【００２７】
上記００２０の作用は、
タッチパネル面の入力ボタンの上方に位置する動画や画像や入力した文字を表示する範囲にキー入力用の凹凸を有するパネルが存在しないために、タッチパネル面では画像を見ることができ、タッチパネルの裏側面では収納がしやすく裏側面に他の機能を持たせやすくでき、
また、タッチパネルの入力用ボタン上に穴が開いたキー入力用の凹凸を有するパネルと、そのパネルのコンピューター端末側の面に接触部分が小さくなるためのパネル支持用突起を構成としたことにより、キー入力用の凹凸を有するパネル上に指をおいてもパネルがタッチパネルのボタン付近の入力面を押しにくくでき、構造をシンプルにすることが可能である。
【００２８】
上記００２１の作用は、
タッチパネル面の入力ボタンの上方に位置する動画や画像や入力した文字を表示する範囲にキー入力用の凹凸を有するパネルが存在しないために、タッチパネル面では画像を見ることができ、タッチパネルの裏側面では収納がしやすく裏側面に他の機能を持たせやすくでき、
パネルの表から裏の面まで貫通した複数の穴を有したキー入力用の凹凸を有するパネル、及び、その穴を貫通しタッチパネル面を押すことができる突起部分を有した通常のキーボードと類似の機構のキー用ボタンを構成としたことにより、キー入力用の凹凸を有するパネル面上に指をおいてもキー入力用の凹凸を有するパネルがタッチパネルを押しにくくでき、また、タッチパネルを通常のキーボードに近いタッチで入力することが可能である。
【００２９】
上記００２２の作用は、
上記００１９のキー入力用の凹凸を有するパネルにおいて、それぞれのタッチパネルへの入力用ボタンが同一のシリコンやゴムなどの変形が容易な物質のシート又はプレートに構成され、前述のシート又はプレートに、プラスチックや金属やカーボンなどの変形を抑制する物質、を内蔵したために、タッチパネルを通常のキーボードに近いタッチで入力することが可能である。
【００３０】
上記００２３の作用は、上記００２０のキー入力用の凹凸を有するパネルのFとJの穴の下部におけるキー入力用の凹凸を有するパネル表面上、又は、上記００２１又は００２２のキー入力用の凹凸を有するパネルのFとJのキー用ボタンにおいて、指での認識用の凸又は凹又はそれらを複合した形状の構造を構成としたことを特徴としたことにより、
通常のキーボードと同じ感覚でキーの位置の把握をすることができる。
【００３１】
上記００２４の作用は、上記００１９記載のコンピューター端末の側面や側面付近に対して挟み込む又は囲み込んだ着脱固定用のフレーム又はクリップにおけるコンピューター端末の裏側面において、通常のデスクトップパソコン等に使用する立てて固定ができ倒しても固定が可能であるキーボードの角度調整用の脚を構成としたことを特徴としたことにより、机等にコンピューター端末をおいた時にコンピューター端末の角度を変えることができる。
【００３２】
上記００２５の作用は、上記００１９のコンピューター端末の側面や側面付近に対して挟み込む又は囲み込んだ着脱固定用のフレーム又はクリップが、コンピューター外装と一体化したもの又はコンピューター外装自体として構成し、上記００１９におけるタッチパネル面上において設置するキー入力用の凹凸を有するパネル、及び上記のコンピューター外装と上記のキー入力用の凹凸を有するパネルを連結し、コンピューター端末のタッチパネル面からコンピューター端末の裏側面へキー入力用の凹凸を有するパネルを移動させるガイド、及び、上記入力補助部をコンピューター端末のタッチパネル面及びコンピューター端末の裏側の面で固定する機構、を構成としたために、コンピュータ自体が本発明の請求項１の作用を有し、使用することが可能となる。
【発明の効果】
【００３３】
上記００１９の効果は、
キー入力の補助用器具が装備されていないタッチパネルタイプのコンピューターでも、キー入力の補助用器具を使用できるようにすることが可能であるために、使用者のニーズに合わせた機器の使用に柔軟に対応することができるという効果を有する。
【００３４】
上記００２０の効果は、
タッチパネル面では画像を見ることができ、タッチパネルの裏側面では収納がしやすく裏側面に他の機能を持たせやすくでき、また、キー入力用の凹凸を有するパネル上に指をおいてもパネルがタッチパネルを押しにくくでき、構造をシンプルにすることが可能であるために、持ち運び及びキー入力に便利なタッチパネル式コンピューター端末の使用ができるという効果を有する。
【００３５】
上記００２１の効果は、
タッチパネル面では画像を見ることができ、タッチパネルの裏側面では収納がしやすく裏側面に他の機能を持たせやすくでき、また、キー入力用の凹凸を有するパネル面上に指をおいてもキー入力用の凹凸を有するパネルがタッチパネルを押しにくくでき、また、タッチパネルを通常のキーボードに近いタッチで入力することが可能であるために、持ち運び及びキー入力に便利な通常のキーボードに近いタッチ感覚のタッチパネル式コンピューター端末の使用ができるという効果を有する。
【００３６】
上記００２２の効果は、タッチパネルを通常のキーボードに近いタッチで入力することが可能であるために、通常のキーボードに近い感じでタッチパネル式コンピューターを使用することができるというを有する。
【００３７】
上記００２３の効果は、通常のキーボードと同じ感覚でキーの位置を把握することができるために、使用者のキー操作がしやすくなるという効果を有する。
【００３８】
上記００２４の効果は、机等にコンピューター端末をおいた時にコンピューター端末の角度を変えることができるために、使用者が簡便にコンピューター端末の角度を変えることができるという効果を有する。
【００３９】
上記００２５の効果は、コンピューター自体が本発明の請求項１の作用を有し、使用することが可能となるために、コンピューター自体をスリムにすることができるという効果を有する。
【図面の簡単な説明】
【００４０】
【図１】従来のタッチパネルタイプのコンピューター外装一例の簡略図
【図２】本発明で使用可能である凸形状一例の簡略図
【図３】本発明で使用可能である凹形状一例の簡略図
【図４】本発明で使用可能である凸形状又は凹形状一例の簡略図
【図５】本発明の着脱固定用フレーム一例の簡略図
【図６】本発明の着脱固定用フレーム一例の簡略図
【図７】本発明の着脱固定用フレーム一例の簡略図
【図８】本発明のキー入力用の凹凸を有するパネル一例の簡略図
【図９】本発明のキー入力用の凹凸を有するパネル一例の簡略図
【図１０】本発明のキー入力用の凹凸を有するパネル一例の簡略図
【図１１】本発明のキー入力用の凹凸を有するパネル一例の簡略図
【図１２】本発明の収納式の脚一例の簡略図
【図１３】本発明で使用可能な構造部分一例の簡略図
【図１４】本発明で使用可能なタッチパネルタイプのコンピューター一例の簡略図
【図１５】本発明を有するタッチパネルタイプのコンピューター一例の簡略図
【図１６】本発明を有するタッチパネルタイプのコンピューター一例の簡略図
【図１７】本発明のタッチパネルタイプのコンピューター部分一例の簡略図
【図１８】本発明のタッチパネルタイプのコンピューター一例の断面簡略図
【図１９】本発明で表示可能であるタッチパネルの機能表示一例の簡略図
【図２０】本発明で使用可能であるガイド一例の簡略図
【図２１】本発明で使用可能なストッパーと入力パネル連動機構一例の簡略図
【発明を実施するための形態】
【００４１】
以下、本発明の形態を図２〜図１３に基づいて説明する。
【００４２】
図２は本発明の請求項５で使用可能な断面構造の簡略図の一例を示し、（６）は（１）の平面になった部分で、（４）は平面より盛り上がった凸形状の部分で、（５）はくぼみ部分であり、（A）は突起がドーム状になったもので、（B）は突起の頂点が平らになったものであり、（C）は突起の頂点がくぼんだものであり、（D）はくぼみが（C）より大きいものである。
【００４３】
図３は本発明の請求項５で使用可能な断面構造の簡略図の一例を示し、（６）は（１）の平面になった部分で、（４）は平面より盛り上がった凸形状の部分で、（５）はくぼみ部分であり、（A）はくぼみがドーム状になったもので、（B）はくぼみの底が平らになったものであり、（C）はくぼみに突起を設けたものであり、（D）は突起が（C）よりなだらかになったものである。
【００４４】
図４は本発明請求項５使用可能な構造の上から見た簡略図の一例を示し、（A）〜（D）の（７）は上から見たくぼみ又は突起であり、曲線形状又は直線形状又はその複合した形状によりなり、図２や図３及び図４で用いられているものとの組み合わせや他の形状のものとの組み合わせは、本発明の条件を満たすものであればその種類は限定しない。
【００４５】
図５は本発明の請求項１で使用可能な構造の正面の断面簡略図の一例を示し、（９）はコンピューター端末の側面や側面付近に対して挟み込む着脱固定用のフレーム部分であり、（８）はコンピューター端末の側面付近をスライドさせてはめ込む部分を示したものである。
【００４６】
図６は本発明の請求項１で使用可能な構造を側面から見た簡略図の一例を示し、（９）は図５の（９）の（８）付近と同様の働きをするものを横から見たもので、（１０）と（１０’）と（１０’’）は左右の（９）をつなぐフレームで、（１１）は請求項１のキー入力用の凹凸を有するパネルをタッチパネルタイプコンピューターのタッチパネル面と裏の面の間においてキー入力用の凹凸を有するパネルを移動させるガイドである。
【００４７】
図７は本発明の図６を上から見た図であり、（１０’’）側からコンピューター端末を出し入れするタイプのものである。
【００４８】
図８は本発明の請求項２の簡略図一例を示し、（１２）は請求項２のパネル型のキー入力補助用器具で、（１３）の指の通過が可能な穴と、（１３’）のガイド通過用の穴と、キーボードのFとJのボタンの下部付近のパネル（１２）に（７）のくぼみ又は突起を有したものであり、本発明のパネルの形状や構造や材質の種類は本発明の条件を満たすものであれば、その種類は限定しない。
【００４９】
図９は本発明の請求項２の接触部分が小さくなるためのパネル支持用突起の簡略図一例を示し、（A）は（１２）の断面図で（１２’）はタッチパネル面（２）に接触しその接触部分が小さくなるための突起であり、（B）及び（C）は（１２）を上から見た図で、（B）の（１２’）は線状に（１２’）が（１２）を支えるもので、（C）の（１２’）は部分的な突起で（１２）を支えるものである。
【００５０】
図１０は本発明の請求項３で使用可能である機構の簡略図一例を示し、（A）は請求項３を上から見た部分図で、（B）は（A）の断面図であり、（１２’）をもつパネル部分に（１５）のバネ部を固定し、（１５）に設けた穴に（１４’）の突起により固定される（１４）のボタン部分を示したものである。
【００５１】
（１４’’）は（１４）を押すことにより、パネルの穴から下へ出て（２）のタッチパネルを押すボタンの下部である。
【００５２】
また、図１０の（B）の（１２）は一体型で一枚のパネルが作られたものであっても、（１２）が（X）層のパネルと（Y）層の２層のパネルよりなり（X）層と（Y）層の間にバネなどを挟んだ後に２層を合わせるものであってもよく、その種類は限定しない。
【００５３】
図１１は本発明の請求項１のガイドの簡略図一例を示し、（１０）のフレームに（１６）の軸による回転運動をするアーム型ガイド部分に、（１２）のパネルが連結したものである。
【００５４】
（１２）のパネルをタッチパネル面からタッチパネルの裏側の面まで移動させる方式は、図６の様にスライドさせるタイプのガイドであっても、図１１のようにアームと軸を利用した回転運動によるタイプのガイドであってもよく、（１２）と（９）を取り外さなくてもタッチパネル式のコンピュータ端末の表面から裏面まで移動させることができるものであればその種類は限定しない。
【００５５】
また、（１０）や（１１）や（１２）や（１６）自体が取り外し可能であってもよく、本発明の請求項の条件を満たすものであれば、その種類は限定しない。
【００５６】
図１２は本発明の請求項６の装置一例の図であり、（A）は図７の（１０’’）と同様のフレーム構成部を裏側から見た図であり、（１７）は通常のパソコン用のキーボードと同様に収納できる脚であり、（B）は（A）を横から見た断面図であるが、脚の固定の種類や形状や構造など、その種類は限定しない。
【００５７】
図１３は本発明で使用可能な構造部分一例の図であり、（A）は図１２の（１７）と（１０’’）付近の図、（B）は図７と図８などで使用可能なフレームとパネルの固定用の凹凸の図、（C）は本発明のフレームとパネルで使用可能な構造の断面図例であり、（A）は（１９）が（１８）の中に入り回転する軸となり、（B）は（２１）が（９）に接触してスライドし（２０）の中に入ることにより固定されるストッパーの役目をする構造の例である。
【００５８】
また図１３の（C）は、フレーム（９）の上側がコンピューター端末のタッチパネル表示画面上で隙間を空けパネル（１２）を支えて固定し、（９）の下部に（１２）を回してきた時にはそのままフレームの間で挟み突起で固定する、フレームの構造例である。
【００５９】
本発明の請求項１〜請求項７は、本発明の下記の図１４〜図１６の以外のキー配列のタッチパネルタイプのコンピューター端末でも使用がであり、他のキーボード配列に対応させて製造するなど、本発明の請求項１〜請求項７の応用の種類は限定しない。
【００６０】
図２〜図１３は本発明の説明のために記載した例であり、それらの形状や構造や材質などを限定したものではなく、類似の効果を示すものであり本発明の請求項の条件を含んだものであれば、それらの種類は限定しない。
【実施例】
【００６１】
図１４は本発明で使用可能なタブレットタイプのコンピューター一例の簡略図を示したものであり、表示ボタンの大きさを変えてボタンとボタンの間隔を変化させる機能を有するものとすることができる。
【００６２】
図１５は本発明の請求項３と請求項５を有するタッチパネルタイプのコンピューター一例の簡略図を示したもので、（１２）は請求項３のボタンを有するパネルで、（９）は請求項１のフレーム部分で、（１６）は請求項１及び図１１と類似の機能のガイドで、FとJのボタンには請求項５の突起を設けたもので、図１４の様にタッチパネルの構成位置や構成方向は様々に構成でき、本発明の条件を満たすものであれば、その種類は限定しない。
【００６３】
また、図１５のアルファベットに対して、本発明以外の他の配列の表示にするものなども考えることができる。
【００６４】
「Shift」キーを押さえることにより同一のキー中に表示された文字や記号の入力が行え、「Shift  keep」キーを押さえることによりShiftボタンを押さえなくても持続して複数のキーの同一キー側の文字又は記号の入力が行え、「全／半  Caps  Lock」キーは文字の全角日本語又は半角アルファベットの表示切り替えを行い半角表示の時に「Fn」キーと「全／半  Caps  Lock」を同時に押さえることにより連続したアルファベットの大文字の入力が行え、「Change」と表示のあるスペースキーを同時に押すことにより入力又はキーを押す前に入力した文字や記号を変換できるものである。
【００６５】
図１６は本発明のタッチパネルタイプのコンピューター外装一例の簡略図を示したものであり、本発明の請求項１と請求項４と請求項７を有したものの例であり、上記図１５と類似したFとJとF４とF８に請求項５の突起を有し、（１）は本発明請求項７のコンピューター外装で、（１２’）は請求項４のパネルで、（９’）は（１２’）を固定するための（１）に設けられたくぼみである。
【００６６】
また、図１６は数値キーの表示を通常の計算機と類似したものとし、アルファベットの表示は通常のキーボードの表示と同じものであり、通常のキーボードにある記号のほとんどを表示しているので、プログラミング等にも使用でき、また、コンピューター外装の大きさの種類もA４サイズのものからそれより小さなものなど、様々なものが考えられる。
【００６７】
図１７は本発明の請求項４及び請求項５のタッチパネルタイプのキーボード一例の簡略図を示し、（A）は請求項４のゴム又はシリコン性の弾力性のある変形しやすい物質（１９）の内部にプラスチックやカーボンなどの変形しにくい物質（１８）が内蔵されたものの断面（B）は（１９）に（１８）を貫通させて固定したものの断面、（C）は（B）の（１９）を（B）と垂直な方向から見た部分図で（１９’）は（１８）を貫通させ固定するための穴であり、（１８）や（１９）の形状や構造や材質の種類は様々なものが考えられ、その種類は限定しない。
【００６８】
また、図１７の（D）は本発明の請求項４のタッチパネルタイプのキーボード一例の簡略図を示し、（１９）の周囲に（１８）が設置され、（１３’）のガイド用の穴を有したものであり、本発明の請求項の条件を満たすものであればそれらの形状や構造や材質の種類は限定しない。
【００６９】
図１７は本発明の請求項４及び請求項５のタッチパネルタイプのキーボード一例の簡略図を示し、（１９’’）は（１９）に設けられたタッチパネル用のボタンであり、（２０）は（１９’’）に設けられた請求項５の突起であり、本発明の請求項の条件を満たすものであればそれらの形状や構造や材質の種類は限定しない。
【００７０】
図１８の（A）は本発明の請求項７のコンピューター外装の断面図一例の簡略図を示し、（２２）は請求項１のフレームとコンピューター本体の一部が一体化した請求項７のものであり、（２１）はタッチパネル面、（２３）は請求項２や請求項３や請求項４のパネルを固定するために設けたパネル固定用の突起である。
【００７１】
また、図１８の（A）はパネルの固定部分のみを記載したものであるが同様に本明細書の図１１の（１０）や図１２の（１０’’）を一体化したものも考えることができ、本発明の請求項の条件を満たすものであればそれらの形状や構造や材質の種類は限定しない。
【００７２】
図１８の（B）は図１６の（１６’）付近を含む断面図であり、（１）タッチパネル面とコンピューター端末の裏側の面のくぼみに（１２’）のパネルが固定されるものである。
【００７３】
図１９は本発明の図１４〜図１６に表示可能である機能表示部分を示したものであり、（A）はマウスの働きをするタッチパネル上の表示で（B）は（A）の後ろ側にある機能表示部分が前面に表示された手書き入力部分であり、（C）はタッチパネル上に表示される動作をする前の状態に戻したり、元に戻した動作を進めたり、文字の色を変えたりする機能ボタンであり、従来から存在するものである。
【００７４】
図１９などの機能のための表示の使用は、入力補助用パネルの使用時に上のタッチパネル画面に表示し、他の外付けのディスプレイを使用してキーボードの様に使用するなど様々であり、本発明の条件を満たすものであればその種類は限定しない。
【００７５】
図２０の（A）は図１６の請求項７記載のガイド一例の簡略図を示し、（１６）はコンピューター外装（１６）に軸で連結するパネルを連結するためのガイドである。
【００７６】
図２０の（B）は（１６）に矢印方向の弾性を持たせた材質のものを示した例であるが、ガイドの種類は硬質の高分子化合物や金属などのものであっても、また弾性のある高分子化合物などのものであってもよくその種類は限定しない。
【００７７】
図２１の（A）と（B）は本発明で使用可能であるストッパー一例を示し、ストッパーを横方向にスライドさせることによりパネルを固定するタイプのもの、（B）はコンピューター外装又は着脱用のフレームなどに磁石を装着しパネルにも磁石を装着させることでパネルを固定するストッパーを示したものである。
【００７８】
図２１の（C）は入力用パネルをコンピューター外装のタッチパネル面に固定することにより、タッチパネル面付近に設けられたボタンを入力用パネルが押して、コンピューターが入力補助パネルの使用モードになるためのボタン周辺を示したものの例である。
【００７９】
また、USBケーブルなどを使用した有線の通信や、無線LANなどを使用した無線通信による、モニタや他の機器を使用した機器同士の連携機能などの使用は様々であり、本発明の条件を満たすものであればその種類は限定しない。
【００８０】
請求項１の本発明のキー入力補助用器具はプラスチックやシリコンやゴムなどの高分子化合物や金属やガラスやカーボンや木や繊維製品等で作ってもよく、本発明の請求項１の条件を満たすものであれば、その種類は限定しない。
【００８１】
また、（２）のパネルなどにキズ防止用の通常のゲーム機等で使用する透明なフィルムを貼って使用するなど、他の機能やものとの併用や組み合わせなど、その種類は限定しない。
【００８２】
本発明の請求項１の装置とタッチパネルタイプのコンピューター端末を一体化して製造することも考えることができ、（１２）等の働きをする部品とコンピューター本体にマグネットを用いて（１２）の開閉した時の固定をするものなども考えることができる。
【００８３】
本発明の実施態様は以下の通りである。
１．本発明のタッチパネルタイプのコンピューター端末は、本発明の条件を満たすものであれば、形状や構造や材質など、その種類は限定しない。
２．本発明のタッチパネルタイプのコンピューター端末は、本発明の条件を満たすものであれば、他の機能や装置との組み合わせなど、その種類は限定しない。
３．本発明の請求項１〜請求項７は、本明細書の図１４〜図１６で示したもの以外のタッチパネルタイプのコンピューター端末にも使用することができる。
【符号の説明】
【００８４】
１：表示画面の縁  、  ２：画面の表示部分  、  ３：１付近の範囲  、
４：突起  、  ５：くぼみ  、  ６：平らな面  、
７：くぼみ又は突起の形状例  、  ８：コンピューター端末の固定部付近  、
９：コンピューター端末の固定用フレーム  、  ９’：コンピューター外装  、
１０：ガイドの固定用フレーム  、  １０’・１０’’：下部のフレーム  、
１１：スライド用ガイド  、  １２・１２’：パネル  、
１３：パネルに設けた穴  、  １３’：パネルに設けたガイド用の穴  、
１４：指に接するボタン表面  、  １４’：ボタン固定用の突起  、
１４’’：タッチパネルを押すボタン下部部分  、  １５：バネ  、
１６：アーム型ガイド  、  １７収納式の脚  、
１８：変形しにくい材質の構造物  、  １９：変形しやすい材質の構造物  、
１９’：変形しやすい材質の構造物に設けた穴  、  １９’’：キー用ボタン  、
２０：指での感知用突起  、  ２１：タッチパネル面  、
２２：コンピューターの断面部分  、
２３：コンピューター部分に設けたパネルの固定用突起
【手続補正２】
【補正対象書類名】特許請求の範囲
【補正対象項目名】全文
【補正方法】変更
【補正の内容】
【特許請求の範囲】
【請求項１】
コンピューター端末の側面や側面付近に対して挟み込む又は囲み込んだ着脱固定用のフレーム又はクリップ、
及び、タッチパネル面上において設置するキー入力用の凹凸を有するパネル、
及び上記の着脱固定用のフレーム又はクリップと上記の入力補助部を連結し、コンピューター端末のタッチパネル面からコンピューター端末の裏側の面へキー入力用の凹凸を有するパネルを移動させるガイド、
及び、上記入力補助部をコンピューター端末のタッチパネル面及びコンピューター端末の裏側の面で固定する機構を構成したことを特徴とする、タッチパネル用入力補助器具。
【請求項２】
上記請求項１のキー入力用の凹凸を有するパネルにおいて、
タッチパネル面の入力ボタンの上方に位置する動画や画像や入力した文字を表示する範囲にキー入力用の凹凸を有するパネルが存在せず、
タッチパネルの入力用ボタン上に穴が開いたキー入力用の凹凸を有するパネル、及び、そのパネルのコンピューター端末側の面に接触部分が小さくなるためのパネル支持用突起を構成としたことを特徴とする、タッチパネル用入力補助器具。
【請求項３】
上記請求項１のキー入力用の凹凸を有するパネルにおいて、
タッチパネル面の入力ボタンの上方に位置する動画や画像や入力した文字を表示する範囲にキー入力用の凹凸を有するパネルが存在せず、
パネルの表から裏まで貫通した複数の穴を有したキー入力用の凹凸を有するパネル、及びその穴を貫通しタッチパネル面を押すことができる突起部分を有した通常のキーボードと類似の機構のキー用ボタンを構成としたことを特徴とする、タッチパネル用入力補助器具。
【請求項４】
上記請求項１のキー入力用の凹凸を有するパネルにおいて、
それぞれのタッチパネルへの入力用ボタンが同一のシリコンやゴムなどの変形が容易な物質のシート又はプレートに構成され、
前述のシート又はプレートに、プラスチックや金属やカーボンなどの変形を抑制する物質を内蔵したことを特徴とする、タッチパネル用入力補助器具。
【請求項５】
上記請求項１のキー入力用の凹凸を有するパネルのFとJの穴の下部におけるキー入力用の凹凸を有するパネル表面上、又は、上記請求項３又は請求項４のキー入力用の凹凸を有するパネルのFとJのキー用ボタンにおいて、
指での認識用の凸又は凹又はそれらを複合した形状の構造を構成としたことを特徴とする、タッチパネル用入力補助器具。
【請求項６】
上記請求項１記載のコンピューター端末の側面や側面付近に対して挟み込む又は囲み込んだ着脱固定用のフレーム又はクリップにおけるコンピューター端末の裏側面において、
通常のデスクトップパソコン等に使用する立てて固定ができ倒しても固定が可能であるキーボードの角度調整用の脚を構成としたことを特徴とする、タッチパネル用入力補助器具。
【請求項７】
上記請求項１のコンピューター端末の側面や側面付近に対して挟み込む又は囲み込んだ着脱固定用のフレーム又はクリップが、コンピューター外装と一体化したもの又はコンピューター外装自体として構成し、上記請求項１におけるタッチパネル面上において設置するキー入力用の凹凸を有するパネル、
及び上記のコンピューター外装と上記のキー入力用の凹凸を有するパネルを連結し、コンピューター端末のタッチパネル面からコンピューター端末の裏側面へキー入力用の凹凸を有するパネルを移動させるガイド、
及び、上記入力補助部をコンピューター端末のタッチパネル面及びコンピューター端末の裏側の面で固定する機構、を構成としたことを特徴とする、コンピューター外装。